(57)【要約】【課題】本願発明の課題は、新しい膜屋根を設置する場合に、設置中に白色の屋根用膜をきれいに保つことができる膜屋根を提供することである。【解決手段】屋根用積層物は、保護シートによって覆われた屋根用膜、好ましくは白色の屋根用膜を含む。保護シートは、屋根用膜から区別可能である色を有するように染められる。屋根用積層物は、屋根表面に適用され、剥離ライナは、設置中に、屋根用膜の外側表面をひっかき傷及び不潔物から保護する。屋根が設置されると、保護シートは、すべての屋根用膜シートから取り除かれ、きれいな表面を露出させる。【選択図】なし【特許請求の範囲】
【請求項１】
屋根用膜と、
前記屋根用膜の第１の表面に直接的に取り外し可能に固定された保護シートと、
を備える屋根用積層物において、
前記保護シートは、環境的に分解でき、
前記屋根用膜は、エチレンクロロプレンゴム（ＥＰＤＭ）、ポリ塩化ビニル（ＰＶＣ）、及び、熱可塑性オレフィン（ＴＰＯ）から成る群から選択されるポリマーから形成され、かつ、４０ミル〜１６０ミルの厚さを有し、
前記保護シートは、水溶性の接着剤の薄い層によって前記第１の表面に固定されることを特徴とする屋根用積層物。
【請求項２】
前記屋根用膜は、白色であることを特徴とする請求項１に記載の屋根用積層物。
【請求項３】
前記保護シートは、前記白色の膜から区別可能である色を有することを特徴とする請求項２に記載の屋根用積層物。
【請求項４】
前記接着剤は、前記保護シートが前記屋根用膜から分離した際に前記保護シートに付着することを特徴とする請求項１に記載の屋根用積層物。
【請求項５】
前記保護シートは、前記屋根用膜を覆っている第１のシート及び第２のシートを有し、
前記第１のシート及び前記第２のシートは、前記屋根用膜の中央部分に沿って重複していることを特徴とする請求項１に記載の屋根用積層物。
【請求項６】
前記保護シートは、前記保護シートの第１の縁部及び第２の縁部に沿って、第１の穿孔部及び第２の穿孔部を含むことを特徴とする請求項１に記載の屋根用積層物。
【請求項７】
前記保護シートは、前記屋根用膜の第１の縁部分及び第２の縁部分を覆っていないことを特徴とする請求項１に記載の屋根用積層物。
【請求項８】
エチレンクロロプレンゴム（ＥＰＤＭ）、ポリ塩化ビニル（ＰＶＣ）、及び、熱可塑性オレフィン（ＴＰＯ）から成る群から選択され、４０ミル〜１６０ミルの厚さを有し、かつ、上表面を有するポリマー膜と；
接着剤で前記上表面に付着される保護シートと；
を備える屋根用積層物であって、
前記保護シートは、水溶性の接着剤の薄い層によって前記上表面に付着、
前記接着剤は、前記保護シートが前記屋根用膜から分離された際に前記保護シートに付着することを特徴とする屋根用積層物。
【発明の詳細な説明】
【技術分野】
【０００１】
膜屋根は、ポリマーシート又は膜によって覆われている屋根である。それらのポリマーシートは、例えば、他の多くものと同様に、ポリ塩化ビニル（ＰＶＣ）、熱可塑性オレフィン（ＴＰＯ）、又はエチレンクロロプレンゴム（ＥＰＤＭ）とされる場合がある。ポリマーシートは、屋根表面に亘って位置付けられ、複数の固定具、接着剤、又はバラストによって適所で保持される。隣接するシートは、屋根全体を覆う単一のポリマーシートを形成するために、ラップシームに沿って互いに接着される。
【背景技術】
【０００２】
一般的に、屋根用部材は、白色又は黒色のいずれかである。理論的には、膜は基本的に、何らかの色で着色されることができる。
【０００３】
使用者は、審美的な目的のため、又は、熱エネルギーを反射することによってエネルギーコストを減少させるために白色の膜屋根を選択する。どちらにしても、白色の膜屋根のシートが汚れていない、すなわち、設置後に、白色とされ、又は、所望された審美的な状況を適用しないであろう、又は、同一の反射性質を有しないであろうことは重要である。
【０００４】
特に、既存の屋根を置換する場合に、新しいシートをきれいに保つことは難しい。再度の屋根用用途において、覆われている古い屋根の部分が取り除かれ、新しい膜屋根はすぐに、その位置に設置される。これは、屋根が毎晩完全に覆われることを可能にする。古い屋根におけるその次の部分が取り除かれるので、屋根職人は、以前に設置された新しい屋根用膜の上を歩く。これは、新しい屋根用膜をひっかき、新しい屋根用膜を傷つける場合がある。新しい膜屋根を設置する場合でさえ、設置中に白色の屋根用膜をきれいに保つことは難しい。
【発明の概要】
【課題を解決するための手段】
【０００５】
本願発明は、単一の層の屋根用膜の設置中に、屋根用膜の表面が、屋根用膜に接着された取り外し可能な染色剥離ライナ又は色付き剥離ライナを提供することによって、不潔物（ｄｉｒｔ）、ひっかき傷、及び、こすった跡から保護されることができるとの実現に基礎とされる。剥離ライナは、白色の膜屋根シートの設置中に適所に残り、設置の完成後に取り除かれる。剥離ライナにおける染色又は色付きは、剥離シートが目立ち、屋根上に不注意に残っていないことを確実にする。さらに、剥離ライナは、環境的に分解できるポリマーから形成されることができ、それによって、剥離シートのいくつかの部分が屋根上に残っている場合でさえ、剥離シートのそれらの部分は素早く分解され、且つ基本的に屋根から洗い流されるだろう。
【０００６】
本願発明の目的及び利点は、以下の詳細な説明及び図面を考慮してさらに認識されるであろう。
【図面の簡単な説明】
【０００７】
【図１】本願発明の斜視図である。
【図２】図１のライン２−２で切り取られた断面図である。
【図３】本願発明の代替的な実施形態の断面図である。
【図４】設置中の本願発明の斜視図である。
【図５】設置中、及び剥離シートの除去の前に、本願発明の縁部分の断面図である。
【図６】本願発明の代替的な実施形態の斜視図である。
【図７】図６のライン７−７によって切り取られた断面破断図である。
【図８】本願発明の代替的な実施形態の部分的断面破断図である。
【図９】本願発明の第３の代替的な実施形態の斜視図である。
【発明を実施するための形態】
【０００８】
本願発明は、屋根用膜（ｒｏｏｆ  ｍｅｍｂｒａｎｅ）１２と、剥離シート又は保護シート１４とを含む屋根用積層物１０である。屋根用膜１２は、第１の表面１６と第２の表面１８とを含んでおり、剥離シート１４は、第１の表面２０及び第２の表面２２を含む。
剥離シート１４の第２の表面２２は、屋根用膜１２の第１の表面１６上に載置し、屋根用膜１２の第１の表面１６を覆う。
【０００９】
屋根用膜１２は、屋根用用途において一般的に使用される任意のポリマーから形成されることができる。それらは、ポリ塩化ビニル、熱可塑性オレフィン、又はエチレンクロロプレンゴム、ポリエチレン、ポリオレフィン、又はその他のものを含む。屋根用膜は、フリースバック（ｆｌｅｅｃｅｂａｃｋ）として言及された底部繊維性面を有することができ、完全接着システムにおける接着強度を改善する。屋根用膜１２は好ましくは、白色、又はわずかに灰色がかった白色とされる。屋根用膜１２は、任意の色でもよい。本願発明は、膜がより明るい色、例えば白色、灰色がかった白色である場合に最も有益であり、膜が黒色である場合に最も有利ではない。けれども、理論的には、使用者は、本願発明における使用のための黒色のシートに亘って、保護カバーを組み込みたい場合がある。
【００１０】
屋根用膜１２は任意の一般的な寸法とされる場合がある。それらは、５フィートと同じくらい狭い場合があり、４０フィートと同じくらい広い場合がある。長さは、５０〜１００フィート以上とされる場合がある。屋根用膜１２は、膜屋根システムにおける使用にとって有効な厚さを有する。一般的には、それらは、約２０〜約１６０ミルの厚さとされてもよい。屋根膜は水不溶性であり、少なくとも１５〜２０年間環境条件に耐えるように設計される。
【００１１】
保護シート１４は薄いポリマーシートであり、該薄いポリマーシートは、幅広い種類の複数のポリマーから形成されることができる。保護シートが透明とされる場合があるけれども、保護シートが、屋根用膜１２の色と区別可能である色で染められることは好ましい。それ故に、屋根用膜１２が白色である場合に、保護シート１４は好ましくは、透明又は白色以外の任意の色、例えば、緑、赤、青、又は黄色である。
【００１２】
好ましくは、保護シート１４は、環境的に分解できるポリマーから形成される。例示的な環境的に分解できるポリマーは、特許文献１に開示されたポリヒドロキシアルカノエート、並びに、特許文献２に開示されたポリ乳酸、ポリ乳酸の共重合体、及び、エチレン一酸化炭素共重合体を含む。それらのポリマーは、時間の経過とともに破壊され、好ましくは例えば太陽光、熱、又は水蒸気、それらの組み合わせなどの所定の環境条件に対してさらされた場合に１カ月以内に破壊される。好ましくは、それらの環境的に分解できるポリマーは、およそ数日で破壊されるであろう。
【００１３】
屋根用積層物１０は、屋根用膜１２及び保護シート１４を別個に形成し、それら２つを互いに積層することによって形成される。保護シート１４が接着層を含む場合に、これは、屋根用膜とともに感圧接着剤を共押出することによって形成されることができる、又は、形成された屋根用膜を感圧接着剤、特に熱硬化性感圧接着剤でその後に被覆することによって形成されることができる。保護シートは、保護シート内に粘着剤を組み込むことによって、及び、粘着剤を解放するわずかに伸長した状態で保護シートを膜に適用することによって、膜に対する接着性を自然に生み出すことができる。露出された粘着剤は、膜に対する保護シートの弱い接着性を提供する。保護シート１４が膜に積層されると、屋根用積層物１０は、ロール２４に形成される。
【００１４】
代替的には、図３に示されるように、接着剤２５の薄い層は、互いに接着するために、屋根用膜１２の第１の表面と保護シート１４の第２の表面との間に適用される場合がある。接着剤は透明とされるべきであり、屋根用膜１２と対向する側の保護シート１４に好ましい接着性を有するべきである。保護シートを取り除いた後で、保護シートが屋根用膜１２上に残っている場合に保護シートが洗い流せるので、水溶性接着剤は好ましい。
【００１５】
屋根用膜１２を屋根表面３０に亘って適用するために、屋根用積層物１０の２つの隣接するシート３２及び３４は、屋根表面３０に亘って並んで載置される。積層物３２の屋根用膜１２は、一般的に接着剤（図示していない）を使用して屋根に固定される。しかしながら、屋根用膜を屋根に機械的に固定するなどの他の方法は、採用されることができる。
屋根用積層物１０の第２のシート３４は広げられ、第２のシート３４の縁部３６が第１のシート３２の縁部３８と重複する状態で第１のシート３２に隣接して屋根表面に接着される。重複している縁部３６及び縁部３８は、互いに接着される、又は溶着される。
【００１６】
図１に示された実施形態とともに、第１の積層物３２上の保護シート１４の縁部分４０は、第２の膜シートの縁部３６が第１の膜３２の露出された縁部３８と重複するのを可能にするのに十分に引き寄せられる。２つの縁部３６及び３８は次いで、熱又は接着剤によって互いに接着される。図５に示されるように、積層物シート３２からの保護シートの縁部分４０は折り重ねられ、２つの屋根用膜１２及び１２における重複した部分４２に亘って載置する。
【００１７】
図１に示されるように、保護シート１４は、屋根用膜１２全体の幅を覆う。しかしながら、図８に示されるように、保護シート１４は、積層物１０の縁部２６又は２８のいずれかに、４〜１２インチの部分を除いて、屋根用膜全体を覆う場合がある。
【００１８】
代替的には、図９に示されるように、保護シート１４は、側縁部２６及び２８に沿って穿孔部５０、５２を含むことができる。これは、ストリップ５４及び５６が、屋根用膜を保護する保護シートの面部分（ｆｉｅｌｄ  ｐｏｒｔｉｏｎ）５６を残しているシートから取り除かれることを可能にする。それらの実施形態のいずれかは、隣接する膜シートが互いに接着されることを可能にする一方、図９に示されるような面部分又は図８に示されるようなシート全体のいずれかが屋根用膜１２上に残る。
【００１９】
屋根が完全に設置されると、すべての保護シートは、ひっかき傷及び不潔物がない、露出された白色又は色付きの屋根用膜表面を残している屋根用膜から引き離される。保護シート又は保護シートの一部が屋根上に不注意に残っているという場合において、太陽光及び水は、保護シートを分解することができ、洗い流すことができる。
【００２０】
本願発明の代替的な実施形態は、図６に示される。図６において、２つの保護シート２０Ａ及び２０Ｂは、屋根用膜１２を保護する。保護シート２０Ａ及び２０Ｂは、屋根用膜の中央部分において重複している。重複した部分５８は、膜１２上に緩んだ状態で載置される。緩んだ重複した部分５８は容易に引き上げられることができ、その一方が保護シート２０Ａ及び２０Ｂの両方を乗り除くことを可能にする。
【００２１】
これは、本願発明を実施する好ましい方法とともに本願発明の説明である。しかしながら、本願発明自体は、添付した特許請求の範囲によってのみ規定されるべきである。
【符号の説明】
【００２２】
１０  屋根用積層物
１２  屋根用膜
１４  剥離シート、保護シート
１６  屋根用膜１２の第１の表面
１８  屋根用膜１２の第２の表面
２０  剥離シート１４の第１の表面
２２  剥離シート１４の第２の表面
２４  ロール
２５  接着剤
３２  隣接する第１のシート
３４  隣接する第２のシート
３６  第１のシート３２の縁部
３８  第２のシート３４の縁部
４０  保護シート１４の縁部分
４２  重複した部分
５０  穿孔部
５２  穿孔部
５４  ストリップ
５６  ストリップ、面部分
５８  重複した部分
【図１】
2018076774.tif 000002
【図２】
2018076774.tif 000003
【図３】
2018076774.tif 000004
【図４】
2018076774.tif 000005
【図５】
2018076774.tif 000006
【図６】
2018076774.tif 000007
【図７】
2018076774.tif 000008
【図８】
2018076774.tif 000009
【図９】
2018076774.tif 000010
【外国語明細書】
2018076774000001.pdf